(57)【要約】【課題】  間仕切パネルをコーナーポストを介して連結することが可能であり、拡張性及び自由度が高く外観性にも優れた連結を実現でき、斬新な形態を実現することが可能な積上げ式間仕切パネルの連結装置を提供する。【解決手段】  複数の単位パネル１を、両側端に設けた端部部材９を利用して連結手段（６，７，８）にて直接上下左右に直線状に連結可能な間仕切パネルにおいて、単位パネルを平面視Ｌ字状、Ｔ字状、十字状に連結するコーナーポスト２の４面のうち、１面は端部部材と同様な連結構造を有して連結手段で直接連結可能な連結面１０となし、他の３面は共通構造の装着面１１となし、装着面に係止具３を取付け、装着面に係止具を用いて係止したスペーサー４を介在させて他の単位パネルを連結手段で連結し、残りの装着面に係止具に係止してポストカバー５を装着する。【選択図】        図２
2009114680.tif 000002
【特許請求の範囲】
【請求項１】
複数の単位パネルを、該単位パネルの両側端に設けた端部部材を利用して連結手段にて支柱を介在させずに上下左右に直線状に連結することが可能な間仕切パネルにおいて、前記単位パネルを平面視Ｌ字状、Ｔ字状、十字状に連結するコーナーポストの４面のうち、１面は前記端部部材と同様な連結構造を有して前記連結手段で直接連結可能な連結面となし、他の３面は共通構造の装着面となし、該装着面にスペーサー又はポストカバーを係止する係止具を取付けるとともに、該装着面に前記係止具に係止したスペーサーを介在させて他の単位パネルを前記連結手段で連結するとともに、残りの装着面に前記係止具に係止してポストカバーを装着することを特徴とする積上げ式間仕切パネルの連結装置。
【請求項２】
前記単位パネルは、押出し型材からなり、下端部に下嵌合部を形成するとともに、上端部に前記下嵌合部に凹凸嵌合してパネル面外方向の変位を規制する上嵌合部を形成し、更に両側端面に形成した凹溝に前記端部部材を取付け、前記連結構造として該端部部材の凹溝部内の下端部に下係止部を形成するとともに、上端部に上係止部を形成したものであり、前記コーナーポストは、前記単位パネルの上下幅に応じた長さを有し、前記連結構造として前記連結面に形成した凹溝部内の下端部に下係止部を形成するとともに、上端部に上係止部を形成し、更に前記装着面には前記係止具を係合する係合部を形成してなる請求項１記載の積上げ式間仕切パネルの連結装置。
【請求項３】
前記連結手段は、両側に前記下係止部に下方から係止する係止爪部を上部に有する下連結具と、両側に前記上係止部に上方から係止する係止爪部を下部に有する上連結具と、前記凹溝部内に位置して前記下連結具と上連結具を引き付けるネジ式の締結具とを備え、更に前記下連結具の下部と前記上連結具の上部とにそれぞれ互いに上下変位不能に係合する第１係合部と第２係合部を形成してなる請求項１又は２記載の積上げ式間仕切パネルの連結装置。
【請求項４】
前記コーナーポストの装着面に、深さの浅い凹溝部を形成し、該凹溝部の両側溝縁に内向きリブを形成し、該リブに前記スペーサーを接合可能とし、前記係止具を取付けるために前記両リブの対向位置を円弧状に切欠して前記係合部を形成するとともに、前記リブの下端部に下係止部を形成して前記下連結具の係止爪部を係止可能とするとともに、上端部に上係止部を形成して前記上連結具の係止爪部を係止可能となした請求項３記載の積上げ式間仕切パネルの連結装置。
【請求項５】
前記係止具は、中央部に前記係合部に係合する円柱部を有するとともに、基端側に前記両リブ間に挿入可能で且つ略９０度回転により両リブに係止可能な両係止片を突設し、先端側に前記スペーサー又はポストカバーを係止する上向きフック片を形成してなる請求項４記載の積上げ式間仕切パネルの連結装置。
【発明の詳細な説明】
【技術分野】
【０００１】
本発明は、積上げ式間仕切パネルの連結装置に係わり、更に詳しくは単位パネルを所望の高さに積上げて上下及び左右に連結する積上げ式間仕切パネルの連結装置に関するものである。
【背景技術】
【０００２】
従来から間仕切パネル同士を、支柱を介在させずに順次連結するとともに、平面視Ｌ字状、Ｔ字状及び十字状に連結する場合にはコーナーポストや連結ブロックを用いる構造の間仕切パネルの連結装置は提供されている。
【０００３】
例えば、特許文献１には、左右両側部が縦枠体にて構成された間仕切パネルにおけるフレームを、連結ブロックを介して平面視Ｌ字状やＴ字状、十字状等に連結するための連結装置であって、前記各間仕切パネルにおけるフレームの適宜高さ位置にて複数箇所に前記連結ブロックを連結固定し、前記間仕切パネルの配置されていない側面及び／又は隣接する間仕切パネルと連結ブロックとの配置隅部を外側から覆う上下長手のカバー体は、少なくとも各連結ブロックの角部の２側面に対して交差するように内向きに屈曲させた係止片を備え、前記各係止片に切欠き形成された嵌合溝の上端縁が各連結ブロックの角部の上面に当接することにより、前記カバー体を前記上の連結ブロックの外周面及び角部と、下の連結ブロックの外周面及び角部との間に跨がって被嵌装着するようになした間仕切パネルの連結装置が開示されている。
【０００４】
特許文献１の記載の連結ブロックは、４面のうち１面には間仕切パネルの連結構造を設け、他の３面は同一形状となっており、この３面にはＬ字状、Ｔ字状、十字状の連結態様に応じて使用しない面に、Ｌ字カバー体、直線状の一文字カバー体と取付けて連結ブロックを隠蔽している。そして、連結ブロックの共通形状の３面のうち間仕切パネルを連結する面には連結用の平面視略Ｈ型の抱持ブロック体をボルト止めし、該抱持ブロック体を介して他の間仕切パネルを連結するようになっている。
【０００５】
また、特許文献２には、パネルの側端面に、中央部に沿って凹溝部を設けた枠ハンガーを固定し、該枠ハンガーの上方に上面が傾斜したくさび面を有する上方のくさびブロックを取付けるとともに、該枠ハンガーの下方に下面が傾斜したくさび面を有する下方のくさびブロックを固定し、両パネルの枠ハンガー同士を接合し、両下方のくさびブロックのくさび面に下方の引き付けブロックの傾斜した引き付け面を係合するとともに、両上方のくさびブロックのくさび面に上方の引き付けブロックの傾斜した引き付け面を係合し、上方の引き付けブロックの上下貫通孔に上方から相通し、前記凹溝部内に位置させた引き付け棒の下端のネジ部を下方の引き付けブロックに固定した筒状受け体のネジ穴に螺合し、両パネルを接近する方向に引き付けて連結する構造が開示されている。そして、パネルをＬ字状等に連結する際には接続ポストを介して連結するが、このパネルと接続ポストの連結には、パネル同士を直接直線状に連結するための連結構造と同じ構造を用いている。
【０００６】
しかし、特許文献１、２に記載のものは、単位パネルを上下に積み重ねて連結する構造ではない。このような積上げ式間仕切パネルは、豊富な商品展開並びに高い拡張性、自由度を持っているが、この種の積上げ式間仕切パネルをＬ字状、Ｔ字状、十字状に連結するための拡張性及び自由度の高い連結構造は提供されてない。
【特許文献１】特許第３９０９９７１号公報
【特許文献２】特許第２８７３３０６号公報
【発明の開示】
【発明が解決しようとする課題】
【０００７】
そこで、本発明が前述の状況に鑑み、解決しようとするところは、複数の単位パネルを簡単且つ強固な連結構造によって上下及び左右に順次連結して所望の高さ及び長さの間仕切パネルを構築するとともに、この間仕切パネルを、コーナーポストを介して平面視Ｌ字状やＴ字状、十字状等に連結することが可能であり、拡張性及び自由度が高く外観性にも優れた連結を実現でき、更にこれまでにない斬新な形態を実現することが可能な積上げ式間仕切パネルの連結装置を提供する点にある。
【課題を解決するための手段】
【０００８】
本発明は、前述の課題解決のために、複数の単位パネルを、該単位パネルの両側端に設けた端部部材を利用して連結手段にて支柱を介在させずに上下左右に直線状に連結することが可能な間仕切パネルにおいて、前記単位パネルを平面視Ｌ字状、Ｔ字状、十字状に連結するコーナーポストの４面のうち、１面は前記端部部材と同様な連結構造を有して前記連結手段で直接連結可能な連結面となし、他の３面は共通構造の装着面となし、該装着面にスペーサー又はポストカバーを係止する係止具を取付けるとともに、該装着面に前記係止具に係止したスペーサーを介在させて他の単位パネルを前記連結手段で連結するとともに、残りの装着面に前記係止具に係止してポストカバーを装着することを特徴とする積上げ式間仕切パネルの連結装置を構成した（請求項１）。
【０００９】
具体的には、前記単位パネルは、押出し型材からなり、下端部に下嵌合部を形成するとともに、上端部に前記下嵌合部に凹凸嵌合してパネル面外方向の変位を規制する上嵌合部を形成し、更に両側端面に形成した凹溝に前記端部部材を取付け、前記連結構造として該端部部材の凹溝部内の下端部に下係止部を形成するとともに、上端部に上係止部を形成したものであり、前記コーナーポストは、前記単位パネルの上下幅に応じた長さを有し、前記連結構造として前記連結面に形成した凹溝部内の下端部に下係止部を形成するとともに、上端部に上係止部を形成し、更に前記装着面には前記係止具を係合する係合部を形成してなるのである（請求項２）。
【００１０】
そして、前記連結手段は、両側に前記下係止部に下方から係止する係止爪部を上部に有する下連結具と、両側に前記上係止部に上方から係止する係止爪部を下部に有する上連結具と、前記凹溝部内に位置して前記下連結具と上連結具を引き付けるネジ式の締結具とを備え、更に前記下連結具の下部と前記上連結具の上部とにそれぞれ互いに上下変位不能に係合する第１係合部と第２係合部を形成してなることが好ましい（請求項３）。
【００１１】
また、前記コーナーポストの装着面に、深さの浅い凹溝部を形成し、該凹溝部の両側溝縁に内向きリブを形成し、該リブに前記スペーサーを接合可能とし、前記係止具を取付けるために前記両リブの対向位置を円弧状に切欠して前記係合部を形成するとともに、前記リブの下端部に下係止部を形成して前記下連結具の係止爪部を係止可能とするとともに、上端部に上係止部を形成して前記上連結具の係止爪部を係止可能となした（請求項４）。
【００１２】
そして、前記係止具は、中央部に前記係合部に係合する円柱部を有するとともに、基端側に前記両リブ間に挿入可能で且つ略９０度回転により両リブに係止可能な両係止片を突設し、先端側に前記スペーサー又はポストカバーを係止する上向きフック片を形成してなることが好ましい（請求項５）。
【発明の効果】
【００１３】
以上にしてなる請求項１に係る発明の積上げ式間仕切パネルの連結装置は、単位パネルの両側端に設けた端部部材を利用して連結手段にて支柱を介在させずに上下左右に直線状に連結するので、所望の高さの間仕切装置を構成でき、そして単位パネルを、コーナーポストを介して平面視Ｌ字状やＴ字状、十字状等に連結する際に、前記連結手段を共用することができ、コーナーポストの連結面には直接単位パネルを連結することができ、その他の装着面には係止具で保持したスペーサーを介在させることにより前記連結手段で連結することができ、そして連結に供しない装着面には係止具でポストカバーを装着することができるので、単位パネルとコーナーポストの連結も単位パネル同士の連結と同様に拡張性及び自由度が高く、外観性にも優れた連結を実現できる。
【００１４】
請求項２によれば、単位パネルは、押出し型材で作製するので、上下の嵌合部の精度が高く、ガタツキのない凹凸嵌合を実現でき、更に適宜な長さに切断するだけで簡単に横幅の異なるものを製造できる。また、コーナーポストも単位パネルと同様に共通の連結手段で互いに連結することができるとともに、上方へ順次連結して所望高さの間仕切装置を構成することができる。更に、コーナーポストも単位パネルの上下幅に応じた長さを有しているので、段違い等の連結態様を構成することも簡単である。そして、コスト上昇を最小限に抑制して豊富な連結形態を実現でき、更にこれまでにない斬新な形態を実現することができる。
【００１５】
請求項３によれば、左右に配した両単位パネルの端部部材同士を接合し、あるいは単位パネルの端部部材とコーナーポストの連結面とを接合するとともに、接合部の両側に位置する各凹溝部の下端部に形成した下係止部に、下連結具の両係止爪部を下方から同時に係止するとともに、各凹溝部の上端部に形成した上係止部に、上連結具の両係止爪部を上方から同時に係止し、前記凹溝部内に位置させたネジ式の締結具で前記下連結具と上連結具を引き付けることによって、左右の単位パネル又は単位パネルとコーナーポストを強固に連結することができ、また既に連結した単位パネルとコーナーポストの上段に単位パネルとコーナーポストを連結するには、下段の連結に使用した上連結具の第２係合部に、上段の連結に使用する下連結具の第１係合部を上下変位不能に係合するとともに、下段の単位パネルの上端部の上嵌合部と上段の単位パネルの下端部の下嵌合部を凹凸嵌合することにより、上下に強固に連結することができ、これらの連結手段により順次単位パネルを上下左右に簡単に連結することができるとともに、単位パネルとコーナーポストを上下方向に順次連結することができる。端部部材の凹溝部内に連結手段による連結に用いる下係止部と上係止部を形成するので、締結具による引き付け方向に端部部材の長尺方向が向くので強度が非常に高く、単位パネルが変形することがないのである。
【００１６】
請求項４によれば、コーナーポストの装着面に、深さの浅い凹溝部を形成し、該凹溝部の両側溝縁に内向きリブを形成し、該リブに前記スペーサーを接合可能とし、前記リブの下端部に下係止部を形成して前記下連結具の係止爪部を係止可能とするとともに、上端部に上係止部を形成して前記上連結具の係止爪部を係止可能となしたので、コーナーポストの装着面にスペーサーを接合して介在させた状態で、前記下連結具と上連結具の各係止爪部を、単位パネルの端部部材の下係止部とコーナーポストの装着面の下係止部及び端部部材の上係止部とコーナーポストの装着面の上係止部に係止し、締結具で上下に引き付けて連結することができる。また、コーナーポストの装着面の前記両リブの対向位置を円弧状に切欠して前記係合部を形成することにより、該係合部に共通の前記係止具を取付けて、前記スペーサー又はポストカバーを装着することができ、部品点数を削減することができる。
【００１７】
請求項５によれば、前記係止具は、中央部に前記係合部に係合する円柱部を有するとともに、基端側に前記両リブ間に挿入可能で且つ略９０度回転により両リブに係止可能な両係止片を突設し、先端側に前記スペーサー又はポストカバーを係止する上向きフック片を形成してなるので、係止具をコーナーポストの装着面に簡単に取付けることができる。つまり、前記切欠部を位置で両係止片を上下に向けて両リブ間に挿入するとともに、円柱部を円弧状の切欠部に嵌合した後、フック片が上を向くように略９０度回転させて両係止片をリブに係止するだけで極めて簡単に取付けることができ、しかも係合部に係止具を取付けた状態では、該係止具の上下変位が確実に規制されるので、前記スペーサー又はポストカバーを安定に支持することができる。
【発明を実施するための最良の形態】
【００１８】
次に、添付図面に示した実施形態に基づき、本発明を更に詳細に説明する。図１〜図８は本発明に係る積上げ式間仕切パネルの連結装置の代表的実施形態を示し、図中符号１は単位パネル、２はコーナーポスト、３は係止具、４はスペーサー、５はポストカバー、６は下連結具、７は上連結具、８は締結具をそれぞれ示している。
【００１９】
本発明に係る積上げ式間仕切パネルの連結装置は、複数の単位パネル１，…を、該単位パネル１の両側端に設けた端部部材９を利用して連結手段（後述の下連結具６、上連結具７及び締結具８）にて支柱を介在させずに上下左右に直線状に連結することが可能な間仕切パネルにおいて、前記単位パネル１，…を平面視Ｌ字状、Ｔ字状、十字状に連結するコーナーポスト２の４面のうち、１面は前記端部部材９と同様な連結構造を有して前記連結手段で直接連結可能な連結面１０となし、他の３面は共通構造の装着面１１，…となし、該装着面１１にスペーサー４又はポストカバー５を係止する係止具３，３を取付けるとともに、該装着面１１に前記係止具３，３に係止したスペーサー４を介在させて他の単位パネル１を前記連結手段で連結するとともに、残りの装着面１１に前記係止具３，３に係止してポストカバー５を装着する構造である。
【００２０】
先ず、図１及び図２に示すように、前記単位パネル１は、アルミ押出し型材から作製し、上下幅が２００ｍｍを基本寸法とし、横幅は適宜な長さに切断して４５０〜３６００ｍｍまでの範囲で複数種類を作製する。前記コーナーポスト２、スペーサー４又はポストカバー５もアルミ押出し型材から作製し、上下寸法は単位パネル１の上下幅に応じて基本寸法が決定されている。更には、同じくアルミ押出し型材からなる笠木部材１２、笠木カバー１３及び巾木部材（図示せず）を有し、それぞれ単位パネル１の横方向の寸法の応じて長さが決定されている。何れの部材も型材を所定長さに切断後に後加工される。前記ポストカバー５は連結態様に応じて平面視Ｌ字形、一文字形のものがあり、更に間仕切パネルの終端部あるいはコーナーポスト２で終端する場合、段違い連結の場合には平面視コ字形のものも存在する。これらの構成については後述する。尚、アルミ押出し型材の代わりに、合成樹脂製の押出し型材を用いることも可能である。
【００２１】
具体的には、前記単位パネル１は、図１に示すように、表面板１４と裏面板１５とが下嵌合部１６と上嵌合部１７及び単又は複数の連結部１８，…で連結された中空形状であり、両側切断面において中央部に凹溝１９を形成し、両側に切断面を覆う鍔部２０と凹溝部２１を設けた端部部材９を、該凹溝部２１を凹溝１９に嵌合するとともに、前記連結部１８，…にネジ止めし、該端部部材９の凹溝部２１内に下係止部２２と上係止部２３を形成したものである。この単位パネル１は、全体の厚さを薄くしても十分な強度を備えており、例えば厚さ４５ｍｍで横方向の長さが２７００ｍｍのものを用いて、横幅の広い斬新な意匠の間仕切パネルを構成することができる。
【００２２】
実際には、前記凹溝１９は、下嵌合部１６と上嵌合部１７及び単又は複数の連結部１８，…の中央部を切り欠いて形成する。そして、前記連結部１８の中央部に一体形成された断面Ｃ字形の下穴２４に前記端部部材９の凹溝部２１の底部から貫通させたタッピンねじ２５を螺合して取付ける。また、前記端部部材９の凹溝部２１の両側壁の途中部から互いに対向する方向に一対のリブ２６，２６を突設し、該リブ２６，２６の下端部を切り欠いて前記下係止部２２を形成するとともに、該リブ２６，２６の上端部を切り欠いて前記上係止部２３を形成している。
【００２３】
そして、前記単位パネル１の下嵌合部１６と上嵌合部１７は、互いに凹凸嵌合してパネル面外方向の変位を規制する構造となっている。そして、上下の単位パネルの下嵌合部１６と上嵌合部１７を嵌合すると、その間に沿ってハンギング溝２７を形成するようになっている。尚、前記ハンギング溝２７は、前記下嵌合部１６と上嵌合部１７の一部も使用して構成され、開口部の内部が上下に拡開した断面倒Ｔ字形の空間が形成されている。同様に、前記笠木部材１２と単位パネル１間、前記巾木部材と単位パネル１間にもハンギング溝２７が形成される。また、左右に連続するハンギング溝２７，２７の間には端部部材９，９の鍔部２０，２０が存在するが、該鍔部２０をハンギング溝２７の溝形状に合わせて切欠することにより、ハンギング溝２７に化粧パネルやホワイトボード等のオプションを係止部材で係止したまま、連結部を通過させて隣接する単位パネル１の前面へ移動させることができる。また、前記単位パネル１の
【００２４】
次に、前記単位パネル１，１を上下左右に連結する連結構造について、図１に基づいて詳細に具体的に説明する。本実施形態の場合、連結部には支柱を介在させず、共通の連結手段で上下方向の連結と左右方向（横方向）の連結を同時に実現することが特徴である。前記下連結具６は、ブロック状の金属部材であり、両側に前記下係止部２２に下方から係止する係止爪部２８，２８を上部に有するとともに、上部中央部に筒部を突設して角孔２９を形成し、該角孔２９の内部に上下貫通した通孔３０を形成し、更に下部に第１係合部３１を形成している。
【００２５】
一方、前記上連結具７は、ブロック状の金属部材であり、両側に前記上係止部２３に上方から係止する係止爪部３２，３２を下部に有するとともに、下部中央部に筒部を突設して角孔３３を形成し、該角孔３３の内部に上下貫通した通孔３４を形成し、更に上部に第２係合部３５を形成している。ここで、前記下連結具６の第１係合部３１が内部よりも開口部が狭い係合凹部であり、前記上連結具７の第２係合部３５が側面視略Ｔ字形の係合凸部であり、パネル面内方向にスライド係合してそれぞれ互いに上下変位不能に係合する構造である。
【００２６】
そして、前記締結具８は、前記下連結具６の角孔２９と前記上連結具７の角孔３３に上下摺動可能に嵌入する断面正方形の連結軸３６と締結ネジ３７，３７とからなり、前記連結軸３６の両端部に軸方向に螺孔３８を形成している。前記締結具８の下端部を前記下連結具６の角孔２９に嵌合し、締結ネジ３７を下方から通孔３４に通して螺孔３８に螺合する。また、前記締結具８の上端部を前記上連結具７の角孔３３に嵌合し、締結ネジ３７を上方から通孔３４に通して螺孔３８に螺合する。ここで、前記締結具８は、全て両端部部材９，９の凹溝部２１，２１内に収容されるようになっている。
【００２７】
そして、前記単位パネル１，…を上下左右に連結するには、下段から上段へ順次締結具８を用いて行う。先ず、前記連結軸３６の下端部を下連結具６に連結した状態で、該下連結具６の両係止爪部２８，２８を、左右の単位パネル１，１の端部同士、具体的にはそれぞれの端部部材９，９の鍔部２０，２０同士を接合し、各端部部材９，９の下係止部２２，２２に係止する。この際に、前記連結軸３６は凹溝部２１，２１で形成される縦孔内に立起状態で位置する。それから、上方から前記上連結具７の角孔２９内に連結軸３６の上端部を嵌合するとともに、両係止爪部３２，３２を各端部部材９，９の上係止部２３，２３に係止し、上方から締結ネジ３７を通孔３４を通して挿入し、前記連結軸３６の螺孔３８に螺合する。この締結ネジ３７を締め付けることにより、下連結具６と上連結具７を引き付けるとともに、前記係止爪部２８，２８及び係止爪部３２，３２の傾斜を利用して左右の単位パネル１，１を引き寄せて連結するのである。
【００２８】
ここで、前記端部部材９の一方の鍔部２０には、凹溝部２１の開口部に沿って突条２０Ａを形成するととともに、他方の鍔部２０には、凹溝部２１の開口部に沿って条溝２０Ｂを形成している。そして、左右の単位パネル１，１を連結する際に、各端部部材９，９の鍔部２０，２０を接合すると、前記突条２０Ａと条溝２０Ｂが係合し、パネル面外方向への変位を規制し、正確な位置で連結することができるようになっている。
【００２９】
そして、既に左右に連結した単位パネル１，…の上段に単位パネル１，１を連結するには、図１に示すように、下段の単位パネル１，１の連結に用いた上連結具７を利用する。具体的には、前記連結軸３６の下端部を下連結具６に連結した状態で、該下連結具６の第１係合部３１を、下段の連結に用いた上連結具７の第２係合部３５にパネル面内方向からスライド係合させて立起状態に維持し、その状態で両単位パネル１，１の下嵌合部１６を、下段の単位パネル１，１の上嵌合部１７に載置して凹凸嵌合するとともに、各端部部材９，９の下係止部２２，２２を下連結具６の両係止爪部２８，２８に係合させる。その後は、前記同様に上方から前記上連結具７の角孔２９内に連結軸３６の上端部を嵌合するとともに、両係止爪部３２，３２を各端部部材９，９の上係止部２３，２３に係止し、上方から締結ネジ３７を通孔３４を通して挿入し、前記連結軸３６の螺孔３８に螺合する。すると、前記下連結具６が引き上げられ、該第１係合部３１が下方の上連結具７の第２係合部３５に強く係合する。この際、前記下連結具６の両係止爪部２８，２８が各端部部材９，９の下係止部２２，２２に同時に強く接触するように寸法設定することが好ましい。
【００３０】
次に、前記笠木部材１２と巾木部材とをそれぞれ単位パネル１に上端又は下端に嵌合する分部の形状は、単位パネル１，１同士の連結構造と同じである。そして、笠木部材１２は最上段の単位パネル１の上端にネジ３９で締結する。前記巾木部材は、両端部に前記単位パネル１の凹溝１９と同様な凹溝を形成し、該凹溝に上段の単位パネル１の端部部材９の下方延長部を嵌合し、前記同様にネジ止めする。尚、前記巾木部材には適宜アジャスターを設けている。
【００３１】
ここで、本発明に係る間仕切パネルは、現場で順次積上げて構築することが特徴であるが、下部は最小限の高さが必要であるので、当該巾木部材と１枚〜４枚の単位パネル１，…を予め工場出荷時点で連結しておくことも好ましい。その場合には、長尺の前記端部部材９，９を用いて巾木部材と単位パネル１，…を上下に連結する。そして、この複合パネルを左右に連結するには、上下高さに応じた長尺の連結軸３６を用意するだけで良く、その他の下連結具６や上連結具７は共通のものを使用できる。
【００３２】
前記笠木部材１２の端部には、合成樹脂製の笠木キャップ４０を嵌着して端部を閉塞している。尚、前記笠木キャップ４０のフランジ部４１の厚さは、前記端部部材９の鍔部２０の厚さと一致させ、また内部には前記上連結具７を収容する凹部４２を設けている。
【００３３】
このように複数の単位パネル１，…を上下左右に連結すると、上下の単位パネル１，１間に形成したハンギング溝２７は左右に連続して目地部を兼ねている。また、左右の単位パネル１，１間には端部部材９，９の鍔部２０，２０が重なって存在している以外に何もなく、すっきりとした外観となっている。同様に、最上段の単位パネル１と笠木部材１２との間にも前記同様なハンギング溝２７が設けられている。また、最下段の単位パネル１と前記巾木部材との間にも前記同様なハンギング溝２７が設けられている。前記単位パネル１の表面板１４と裏面板１５、笠木部材１２及び巾木部材の側面は、横方向に延び、上下方向に繰り返しの波形面となっており、全体として統一的な意匠を構成している。尚、前記単位パネル１，１を左右に連結した場合、若干上下にずれることは避けられないが、その連結部に端部部材９の鍔部２０が介在して縁切りをしているので、左右の単位パネル１，１の波形面が不連続でも目立たなくすることができる。
【００３４】
次に、前記コーナーポスト２を用いて複数の単位パネル１，…を平面視Ｌ字状、Ｔ字状、十字状に連結する構造及びパネル終端部の処理を説明する。先ず、代表的な連結形態として、前記コーナーポスト２を介して複数の単位パネル１，…を平面視Ｌ字状に連結する場合を図２〜図８に基づいて詳細に説明する。
【００３５】
先ず、前記コーナーポスト２は、図２〜図５に示すように、４面のうち、１面は前記端部部材９と同様な連結構造を有して前記連結手段で直接連結可能な連結面１０となし、他の３面は共通構造の装着面１１，…となしている。前記コーナーポスト２は、アルミ押し出し型材から作製し、中央部に四角形の筒部４３を有し、その四隅から放射状に鉤片４４，…が延び、前記連結面１０に面する一対の鉤片４４，４４の端部から側壁部４５，４５を延設して凹溝部４６を形成するとともに、その両端部に鍔部４７，４７を一体形成した概略形状である。そして、前記コーナーポスト２の凹溝部４６の内部に互いに対向するように前記リブ２６と同様なリブ４８，４８を形成し、該リブ４８，４８の下端部と上端部にそれぞれ下係止部４９と上係止部５０を形成し、前記同様に下連結具６、上連結具７及び締結具８を用いて単位パネル１の端部部材９に連結できるようになっている。
【００３６】
前記コーナーポスト２の前記装着面１１には、他の３対の鉤片４４，４４が存在し、該鉤片４４，４４で深さの浅い凹溝部５１を形成し、該凹溝部５１の両側溝縁、即ち該鉤片４４，４４の端縁間に前記リブ４８と同様なリブ５２，５２を互いに対向するように内向きに形成し、両リブ５２，５２の上下部に前記係止具３を取付けるために、前記両リブ５２，５２の対向位置を円弧状に切欠して前記係合部５３を形成するとともに、前記リブ５２，５２の下端部に下係止部５４を形成して前記下連結具６の係止爪部２８を係止可能とするとともに、上端部に上係止部５５を形成して前記上連結具７の係止爪部３２を係止可能となしている。また、前記両リブ５２，５２の側面は、後述のスペーサー４を接合可能となしている。
【００３７】
そして、前記係止具３は、図２、図６及び図７に示すように、中央部に前記係合部５３に係合する円柱部５６を有するとともに、基端側に前記コーナーポスト２の両リブ５２，５２間に挿入可能で且つ略９０度回転により両リブ５２，５２に係止可能な両係止片５７，５７を突設し、先端側に前記スペーサー４又はポストカバー５を係止する上向きフック片５８を形成したものであり、更に前記円柱部５６のフック片５８側の端面に六角レンチを嵌合可能な六角穴５９を形成している。
【００３８】
前記スペーサー４は、図２及び図４〜図６に示すように、アルミ押し出し型材から作製し、中央部に溝形状の接合部６０を有し、その両側に前記端部部材９の鍔部２０，２０と同様な鍔部６１，６１を形成している。そして、前記接合部６０の接合面の上下部に前記係止具３のフック片５８を受け入れて係止する係止孔６２，６２を形成するとともに、前記接合部６０の上下端部は、前記端部部材９の下係止部２２と上係止部２３と同じ位置に切欠部６３，６３を設け、前記下連結具６と上連結具７の本体部を受け入れることができるようになっている。
【００３９】
前記ポストカバー５は、図２、図４〜図８に示すように、平面視Ｌ字状の連結の場合には、前記コーナーポスト２の連結面１０とそれに近接する一つの装着面１１を単位パネル１，１に使用するので、残りの２面の装着面１１，１１を覆うように平面視Ｌ字形のものを用いる。それには、アルミ押し出し型材から作製した二つのカバー部材６４，６４の端面を４５度にカットし、接合金具６５を用いて平面視Ｌ字形に連結する。前記カバー部材６４は、裏面の上下部にそれぞれ断面略Ｌ字形の一対の係止部６６，６６を対向させて突設し、各係止部６６の連結側の端部に孔６７を形成したものである。前記接合金具６５は、カバー部材６４，６４の接合面に挟まってエッジを構成する接合板６８と、その両面に４５度の角度で嵌合片６９，６９を一体形成し、前記嵌合片６９に一部に係止爪７０，７０を設けたものである。尚、前記カバー部材６４の表面には、前記単位パネル１の表面と同じ波形面を形成し、意匠上の統一を図っている。
【００４０】
そして、前記接合金具６５の嵌合片６９，６９を、それぞれ二つのカバー部材６４，６４の前記一対の係止部６６，６６の間に嵌入するとともに、係止爪７０，７０を孔６７，６７に係合して抜止め状態で連結するのである。ここで、一対の係止部６６，６６のうち、下向きの係止部６６に前記係止具３のフック片５８が係止するのである。尚、一対の係止部６６，６６の開口幅は、前記係止具３の上向き状態のフック片５８を受け入れることが可能な十分な寸法に設定している。
【００４１】
また、上下のコーナーポスト２は、図３及び図６に示すように、ポスト連結金具７１を用いて接合する。ここで、前記ポスト連結金具７１は、前記コーナーポスト２の中心部の筒部４３に嵌入する角柱部７２の上下中央部の周囲に、前記筒部４３と鉤片４４の断面形状と略一致したフランジ部７３を突設したものである。つまり、前記ポスト連結金具７１の角柱部７２の上下部を、上下のコーナーポスト２，２の筒部４３，４３に嵌入するとともに、接合部に前記フランジ部７３を介在させた状態で連結する。
【００４２】
前記単位パネル１，１を、前記コーナーポスト２を介して平面視Ｌ字状に連結するには、図５に示すように、コーナーポスト２の連結面１０に一方の単位パネル１を配置し、単位パネル１の端部部材９の両鍔部２０，２０を、連結面１０に形成した両鍔部４７，４７に凹凸嵌合状態で接合し、前記端部部材９の下係止部２２と連結面１０側の下係止部４９とに前記下連結具６の係止爪部２８，２８を係止するとともに、前記端部部材９の上係止部２３と連結面１０側の上係止部５０とに前記上連結具７の係止爪部３２，３２を係止し、前記下連結具６に下端をして凹溝部２１，４６内に立起した連結軸３６の上連結具７の角孔３３内に嵌挿し、上方から締結ネジ３７を連結軸３６の螺孔３８に螺合して引き付け、単位パネル１，１同士の連結と同様にして連結する。次に、前記コーナーポスト２の各装着面１１，…の係合部５３，…にそれぞれ係止具３，…を装着した後、所定の側の装着面１１の係止具３，３のフック片５８，５８に前記スペーサー４の係止孔６２，６２を係止して取付け、該スペーサー４の両鍔部６１，６１に単位パネル１の端部部材９の両鍔部２０，２０を凹凸嵌合状態で接合し、端部部材９の下係止部２２と装着面１１側の下係止部５４と前記下連結具６の係止爪部２８，２８を係止するとともに、前記端部部材９の上係止部２３と装着面１１側の上係止部５５とに前記上連結具７の係止爪部３２，３２を係止し、前記下連結具６に下端をして凹溝部２１とスペーサー４の内部内に立起した連結軸３６の上連結具７の角孔３３内に嵌挿し、上方から締結ネジ３７を連結軸３６の螺孔３８に螺合して引き付け、単位パネル１，１同士の連結と同様にして連結する。その他の装着面１１，１１に設けた係止具３，…を用いて、平面視Ｌ字形のポストカバー５Ａの両カバー部材６４，６４の各係止部６６を係止具３のフック片５８に係止して装着する。
【００４３】
この平面視Ｌ字状に連結した状態を図８に示している。上下のポストカバー５Ａ，５Ａ間には、前記ハンギング溝２７に連続した横溝７４が形成されるように、該ポストカバー５Ａの上下端部の形状が設定されている。また、最上部の前記コーナーポスト２の上端には、合成樹脂製の上端キャップ７５を嵌着し、該上端キャップ７５と最上段のポストカバー５Ａの間にも横溝７４が形成されている。この横溝７４にも前記ハンギング溝２７と同様に化粧パネルやホワイトボード等のオプションを、係止部材を用いて係止することができる。
次に、図９〜図１３に基づいて、パネル終端部の処理を説明する。このパネル終端部には、アルミ押出し型材からなる連結部材７６を前記同様の連結手段で単位パネル１の端部に連結し、そして該連結部材７６に平面視コ字形の端部カバー７７を前記係止具３，３を用いて装着するのである。前記連結部材７６は、前記端部部材９の凹溝部２１を浅く角ばった形状とした断面形状の凹溝部７８を有し、該凹溝部７８の開口縁には外側へ向けて鍔部７９．７９を形成するとともに、凹溝部７８の内部に設けた一対の対向するリブ８０，８０の下端部に下係止部８１を形成し、上端部に上係止部８２を形成したものである。そして、前記連結部材７６の凹溝部２１の底面部の上下部に前記係止具３を装着するための円孔８３，８３を形成している。前記係止具３のフック片５８を前記連結部材７６の凹溝部７８の内部から円孔８３に挿通し、円柱部５６を嵌合して両係止片５７，５７を凹溝部７８の内部に係止して装着する。また、前記端部カバー７７は、３枚のカバー部材６４，…と二つの接合金具６５，６５を用いて平面視コ字形に連結して構成するが、前記ポストカバー５の構造と基本的には同じである。従って、同一構成には同一符号を付してその説明は省略する。また、前記連結部材７６を前記単位パネル１の端部に連結する構造も隣接する単位パネル１，１同士を連結する構造と全く同じ連結手段を用い、下係止部８１と上係止部８２を利用して連結するので、その説明も省略する。
【００４４】
図１３は、単位パネル１の終端部に端部カバー７７を装着した状態を示し、上下の前記端部カバー７７，７７間には、前記ハンギング溝２７に連続した横溝８４が形成されるように、該ポストカバー５Ａの上下端部の形状が設定されている。また、最上部の連結部材７６の上端には、合成樹脂製の上端キャップ８５を嵌着し、該上端キャップ８５と最上段の端部カバー７７の間にも横溝８４が形成されている。この横溝８４にも前記ハンギング溝２７と同様に化粧パネルやホワイトボード等のオプションを、係止部材を用いて係止することができる。
【００４５】
次に、平面視Ｔ字状に連結する場合を、図１４〜図１６に基づいて簡単に説明する。基本的には、前述のＬ字状の連結と同じであるが、前記コーナーポスト２の３面の装着面１１，…のうち２面を単位パネル１，１の連結に用い、残りの１面の装着面１１に一文字形のポストカバー５Ｂを装着する。前記ポストカバー５Ｂは、前記カバー部材６４の両端を９０度にカットしたものを一枚そのまま用いて構成する。前記コーナーポスト２の連結面１０には、前記単位パネル１を前記連結手段を用いて直接連結し、装着面１１には係止具３，３に係止した前記スペーサー４介在させて他の単位パネル１を同様に連結手段を用いて連結する。具体的な構造は、前記同様であるので、同一構成には同一符号を付してその説明は省略する。
【００４６】
尚、図示しないが、平面視十文字状に連結する場合には、前記コーナーポスト２の連結面１０と３面の装着面１１，…の全てに単位パネル１，…を前記同様に連結する。この場合、前記コーナーポスト２の全側面は露出しないので、ポストカバーは不要である。
【００４７】
また、もう一つのパネル終端部の処理として、図１７に示すように、間仕切パネルの終端にコーナーポスト２を設ける場合もある。この終端部の処理の仕方は、単純なパネル終端で単独で生じる場合もあるが、通常は平面視Ｌ字状に単位パネル１，…を連結するとともに、高さを段違いに構成した場合に生じるのである。つまり、前記コーナーポスト２の連結面１０を前記同様に連結手段を用いて連結する。そして、前記コーナーポスト２の３面の装着面１１，…に係止具３，…を取付け、前記端部カバー７７と同様な構造であるが、両側面のカバー部材６４，６４の横幅が広い形状のポストカバー５Ｃを前記係止具３，…を用いて装着する。具体的な構造は、前記同様であるので、同一構成には同一符号を付してその説明は省略する。
【００４８】
また、図１８に示すように、平面視Ｔ字状の連結で、一面の単位パネル１の高さが低い段違いの連結形態の場合、下部のＴ字状の連結部分のコーナーポスト２には一文字形の前記ポストカバー５Ｂを装着し、上部の平面視Ｌ字状の連結部分のコーナーポスト２にはＬ字形の前記ポストカバー５Ａを装着する。尚、図示しないが、平面視Ｌ字状の連結において、下部のＬ字状連結部分にはＬ字形の前記ポストカバー５Ａを装着し、上部のコーナーポスト２で終端した部分には前記ポストカバー５Ｃを装着するのである。
【図面の簡単な説明】
【００４９】
【図１】本発明に係る積上げ式間仕切パネルの単位パネル同士を連結する構造を示す要部の分解斜視図である。
【図２】コーナーポストを介して平面視Ｌ字状に連結する構造を示す要部の分解斜視図である。
【図３】コーナーポストの上下の接続構造を示す部分分解斜視図である。
【図４】Ｌ字状連結部の構造を示す部分横断平面図である。
【図５】同じくＬ字状連結部の構造を示す部分分解平面図である。
【図６】同じくＬ字状連結部の構造を示す部分縦断正面図である。
【図７】Ｌ字形ポストカバーの分解斜視図である。
【図８】Ｌ字状連結部の全体形状を示す要部の斜視図である。
【図９】端部カバーを用いた終端部の処理構造を示す要部の分解斜視図である。
【図１０】同じく端部カバーを用いた終端部の処理構造を示し、（ａ）は部分横断平面図、（ｂ）は部分分解平面図である。
【図１１】コ字形ポストカバーの分解斜視図である。
【図１２】終端部の部分縦断正面図である。
【図１３】終端部の全体形状を示す要部の斜視図である。
【図１４】Ｔ字状連結部の構造を示す部分横断平面図である。
【図１５】同じくＴ字状連結部の構造を示す部分分解平面図である。
【図１６】同じくＴ字状連結部の全体形状を示す要部の斜視図である。
【図１７】コーナーポストで終端した処理構造を示し、（ａ）は部分横断平面図、（ｂ）は部分分解平面図である。
【図１８】Ｔ字状連結部の段落ち連結構造を示す全体斜視図である。
【符号の説明】
【００５０】
１  単位パネル、          ２  コーナーポスト、
３  係止具、              ４  スペーサー、
５  ポストカバー、        ５Ａ  ポストカバー、
５Ｂ  ポストカバー、      ５Ｃ  ポストカバー、
６  下連結具、            ７  上連結具、
８  締結具、              ９  端部部材、
１０  連結面、            １１  装着面、
１２  笠木部材、          １３  笠木カバー、
１４  表面板、            １５  裏面板、
１６  下嵌合部、          １７  上嵌合部、
１８  連結部、            １９  凹溝、
２０  鍔部、              ２１  凹溝部、
２２  下係止部、          ２３  上係止部、
２４  下穴、              ２５  タッピンねじ、
２６  リブ、              ２７  ハンギング溝、
２８  係止爪部、          ２９  角孔、
３０  通孔、              ３１  第１係合部、
３２  係止爪部、          ３３  角孔、
３４  通孔、              ３５  第２係合部、
３６  連結軸、            ３７  締結ネジ、
３８  螺孔、              ３９  ネジ、
４０  笠木キャップ、      ４１  フランジ部、
４２  凹部、              ４３  筒部、
４４  鉤片、              ４５  側壁部、
４６  凹溝部、            ４７  鍔部、
４８  リブ、              ４９  下係止部、
５０  上係止部、          ５１  凹溝部、
５２  リブ、              ５３  係合部、
５４  下係止部、          ５５  上係止部、
５６  円柱部、            ５７  係止片、
５８  フック片、          ５９  六角穴、
６０  接合部、            ６１  鍔部、
６２  係止孔、            ６３  切欠部、
６４  カバー部材、        ６５  接合金具、
６６  係止部、            ６７  孔、
６８  接合板、            ６９  嵌合片、
６９  嵌合片、            ７０  係止爪、
７１  ポスト連結金具、    ７２  角柱部、
７３  フランジ部、        ７４  横溝、
７５  上端キャップ、      ７６  連結部材、
７７  端部カバー、        ７８  凹溝部、
７９  鍔部、              ８０  リブ、
８１  下係止部、          ８２  上係止部、
８３  円孔、              ８４  横溝、
８５  上端キャップ。
【図１】
2009114680.tif 000003
【図２】
2009114680.tif 000004
【図３】
2009114680.tif 000005
【図４】
2009114680.tif 000006
【図５】
2009114680.tif 000007
【図６】
2009114680.tif 000008
【図７】
2009114680.tif 000009
【図８】
2009114680.tif 000010
【図９】
2009114680.tif 000011
【図１０】
2009114680.tif 000012
【図１１】
2009114680.tif 000013
【図１２】
2009114680.tif 000014
【図１３】
2009114680.tif 000015
【図１４】
2009114680.tif 000016
【図１５】
2009114680.tif 000017
【図１６】
2009114680.tif 000018
【図１７】
2009114680.tif 000019
【図１８】
2009114680.tif 000020